【誤訳訂正書】
【提出日】令和3年1月8日(2021.1.8)
【誤訳訂正１】
【訂正対象書類名】明細書
【訂正対象項目名】全文
【訂正方法】変更
【訂正の内容】
【発明の詳細な説明】
【発明の名称】タービン部品の温度調整のための物品及びマニホルド
【技術分野】
【０００１】
本発明は、タービン部品の熱調整のための物品及びマニホルドに関する。より詳細には、本発明は、インピンジメント流れ変更構造を含む、タービン部品の熱調整のための物品及びマニホルドに関する。
【背景技術】
【０００２】
ノズルなどのガスタービン翼形部は、高温ガス経路において高温及び高い外部圧力に晒される。これらの厳しい動作条件は、作動温度の上昇及び高温ガス経路の圧力の上昇を始めとする技術の進歩によってさらに過酷になる。そのため、ガスタービンノズルは、ノズルのコアに挿入されるマニホルドに流体を流すことによって冷却される場合があり、該流体は、マニホルドからインピンジメント孔を通ってポストインピンジメントキャビティに流入し、次いで、ノズルの外壁の開口を通ってポストインピンジメントキャビティから流出して、ノズルの外面上に流体のフィルム層を形成する。
【０００３】
しかしながら、ポストインピンジメントキャビティにおけるクロスフロー及び最適化されていない流路は、ポストインピンジメントキャビティにおける流体冷却を妨げる。厳しい動作条件、材料及び製造技術は、このポストインピンジメントキャビティにおけるクロスフロー及び最適化されていない流路の問題を持続又はさらに悪化させる。
【先行技術文献】
【特許文献】
【０００４】
【特許文献１】米国特許第７，０５２，２３３号明細書
【発明の概要】
【０００５】
例示的な実施形態において、物品は、マニホルドと、物品壁と、ポストインピンジメントキャビティとを含む。マニホルドは、インピンジメントプレートを含み、該インピンジメントプレートは、プレナムと、１以上のインピンジメント開口とを画成する。プレナムは、プレナム表面を含み、１以上のインピンジメント開口は、プレナムと吸気開口にて境界を接する。物品壁は、１以上の外部開口を含む。ポストインピンジメントキャビティは、マニホルドと物品壁との間に配置され、該ポストインピンジメントキャビティは、流体をプレナムから１以上のインピンジメント開口を通して受けて、該流体が１以上の外部開口を通過するように構成されている。１以上のインピンジメント開口は、流れ変更構造を含み、１以上のインピンジメント開口及び流れ変更構造は排気開口を画成する。
【０００６】
別の例示的な実施形態において、マニホルドは、インピンジメントプレートを含む。インピンジメントプレートは、プレナムと、１以上のインピンジメント開口とを画成する。プレナムは、プレナム表面を含み、１以上のインピンジメント開口は、プレナムと吸気開口にて境界を接する。１以上のインピンジメント開口は、流れ変更構造を含み、１以上のインピンジメント開口と流れ変更構造とは、排気開口を画成する。マニホルドは、流体をプレナムから吸気開口に流入させ、１以上のインピンジメント開口を通して排気開口から流出させるよう構成される。
【０００７】
別の例示的な実施形態において、タービン部品を熱調整する方法は、インピンジメントプレートを有するマニホルドを提供するステップを含み、インピンジメントプレートは、プレナムと、１以上のインピンジメント開口とを画成する。１以上のインピンジメント開口は、流れ変更構造を含む。本方法はさらに、流体の流れを１以上のインピンジメント開口を通して分散させるステップと、流れ変更構造と相互作用することにより流体の流れを変更するステップとを含む。流れ変更構造による流体の流れの変更により、流れ変更構造によって妨げられない同じ流れと比べて、流体とタービン部品の一部との熱接触が増大する。
【０００８】
本発明の他の特徴及び利点は、例証として本発明の原理を示す添付図面を参照しながら、以下のより詳細な説明から明らかになるであろう。
【図面の簡単な説明】
【０００９】
【図１】本開示の実施形態に係る物品の断面図。
【図２】本開示の実施形態に係る図１の物品の切り欠き斜視図。
【図３】本開示の実施形態に係る図１の方向３−３から見た１以上のインピンジメント開口の断面図。
【図４】本開示の実施形態に係る図２の領域４の拡大図。
【図５】本開示の実施形態に係る図２の領域５の拡大図。
【図６】本開示の実施形態に係る図２の領域６の拡大図。
【図７】本開示の実施形態に係る図２の領域７の拡大図。
【図８】本開示の実施形態に係る図２の領域８の拡大図。
【図９】本開示の実施形態に係る図２の領域９の拡大図。
【図１０】本開示の実施形態に係る図２の領域１０の拡大斜視図。
【図１１】本開示の実施形態に係る図２の領域１１の拡大斜視図。
【発明を実施するための形態】
【００１０】
可能な限り、図面全体を通じて同じ要素を示すために同じ参照符号が使用される。
【００１１】
例示的な物品、翼形部部品、並びに物品及び翼形部部品を形成する方法が提供される。本開示の実施形態は、本明細書で開示される１又はそれ以上の特徴を利用していない物品及び方法と比較して、異なる熱膨張への良好な対応、空力負荷の許容範囲の増大、冷却の改善、耐久性の改善、効率の向上、局所的逆流マージンの改善及びフィルム効果の改善をもたらす。
【００１２】
図１及び２を参照すると、１つの実施形態において、物品１００は、マニホルド１０２と、物品壁１０４と、マニホルド１０２と物品壁１０４との間に配置されたポストインピンジメントキャビティ１０６とを含む。マニホルド１０２は、インピンジメントプレート１０８を含む。インピンジメントプレート１０８は、プレナム１１０と、１以上のインピンジメント開口１１２とを画成する。物品壁１０４は、１以上の外部開口１１４を含む。プレナム１１０は、プレナム表面１１６を含む。ポストインピンジメントキャビティ１０６は、プレナム１１０から１以上のインピンジメント開口１１２を通して流体１１８を受けて、該流体１１８を１以上の外部開口１１４に通過させるように構成される。
【００１３】
別の実施形態において、物品１００は、タービン部品１２０である。タービン部品１２０は、限定ではないが、翼形部１２２、バケット（図示せず）、ノズル１２４、シュラウド（図示せず）、燃焼器（図示せず）又はこれらの組合せを含む、任意の好適な部品とすることができる。マニホルド１０２は、限定ではないが、タービン翼形部１２２のマニホルド、タービンバケット（図示せず）のマニホルド、タービンノズル１２４のマニホルド、タービンシュラウド（図示せず）のマニホルド、タービン燃焼器（図示せず）のマニホルド又はこれらの組合せを含む、任意の好適なマニホルドとすることができる。
【００１４】
図３を参照すると、１つの実施形態において、１以上のインピンジメント開口１１２は、プレナム１１０と吸気開口３００にて境界を接する。１以上のインピンジメント開口１１２は、流れ変更構造３０２を含む。１以上のインピンジメント開口１１２及び流れ変更構造３０２は、排気開口３０４を画成する。排気開口３０４は、任意の好適な形状を含むことができる。図１を再度参照すると、マニホルド１０２は、流体１１８をプレナム１１０から吸気開口３００に流入させ、１以上のインピンジメント開口１１２を通して排気開口３０４から流出させるよう構成される。
【００１５】
１つの実施形態において、吸気開口３００は、プレナム１１０にて吸気面積３０６を含み、排気開口３０４は、ポストインピンジメントキャビティ１０６にて１以上の排気面積３１２を含む。１以上の排気面積３１２は、ポストインピンジメントキャビティ１０６での１以上のインピンジメント開口１１２のインピンジメント面積３０８と、ポストインピンジメントキャビティ１０６での流れ変更構造面積３１０との間では差異が存在する。別の実施形態において、１以上の排気面積３１２は、吸気面積３０６の約１０％〜約５００％又は吸気面積３０６の約１０％〜約１００％又は吸気面積３０６の約５０％〜約１５０％又は吸気面積３０６の約１００％〜約２００％又は吸気面積３０６の約１５０％〜約２５０％又は吸気面積３０６の約２００％〜約３００％又は吸気面積３０６の約２５０％〜約３５０％又は吸気面積３０６の約３００％〜約４００％又は吸気面積３０６の約３５０％〜約４５０％又は吸気面積３０６の約４００％〜約５００％である。
【００１６】
別の実施形態において、１以上のインピンジメント開口１１２は、プレナム表面１１６に対するインピンジメント角３１４を画成する。インピンジメント角３１４は、限定ではないが、約３０度〜９０度又は約３０度〜約６０度又は約４５度〜約７５度又は約６０度〜９０度又は約３０度〜約４５度又は約４５度〜約６０度又は約６０度〜約７５度又は約７０度〜９０度を含む、任意の好適な角度とすることができる。排気開口３０４は、最大で約６０度又は最大で約４５度又は最大で約３０度又は最大で約１５度又は０度〜約３０度又は約１５度〜約４５度又は約３０度〜約６０度の偏向角３１６だけインピンジメント角から偏向することができる。本明細書で使用される用語「偏向角３１６」は、排気開口３０４の全体にわたって必ずしも一定ではなく、排気開口３０４の周りで変化することができるパラメータである。
【００１７】
図４を参照すると、１つの実施形態において、排気開口３０４は環状である。本明細書で使用される用語「環状」は、略リング形状を示し、限定ではないが、規則的リング、不規則リング、円形リング、楕円形リング、長円リング、対称的リング、非対称リング又はこれらの組合せを含むことができる。本明細書で使用される用語「不規則リング」は、リングの厚さ又は幅もしくはその両方がリングの外周の周りで変化することを示している。図５及び６を参照すると、別の実施形態において、環状の排気開口３０４は、１以上のインピンジメント開口１１２及び流れ変更構造３０２のうちの１以上が多角形構造を有する。図７を参照すると、さらに別の実施形態では、環状排気開口３０４は、１以上のインピンジメント開口１１２及び流れ変更構造３０２のうちの１以上が不規則な幾何形状を有する。
【００１８】
図８を参照すると、１つの実施形態において、流れ変更構造３０２は、複数の流れ分配開口８００を含む。
【００１９】
図９を参照すると、１つの実施形態において、流れ変更構造３０２は、タービュレータ９００を含む。別の実施形態において、タービュレータ９００は、１以上のベーン９０２を含む。図１０を参照すると、さらに別の実施形態において、１以上のベーンは、捻れ構造を含むことができる。
【００２０】
図１１を参照すると、１つの実施形態において、流れ変更構造３０２は、方向性ノズル１１００を含む。方向性ノズル１１００は、流体１１８の流れを任意の好適な方向でポストインピンジメントキャビティ１０６内に配向することができる。
【００２１】
１つの実施形態において、限定ではないがタービン部品１２０を含む物品１００の熱調整のための方法は、インピンジメントプレート１０８を有するマニホルド１０２を提供するステップを含み、インピンジメントプレート１０８は、プレナム１００と１以上のインピンジメント開口１１２とを画成し、該１以上のインピンジメント開口１１２は、流れ変更構造３０２を含む。流体１１８は、プレナム１１０から１以上のインピンジメント開口１１２を通して分散される。１以上のインピンジメント開口１１２における流体１１８の流れは、流れ変更構造３０２との相互作用によって変更される。流れ変更構造３０２によって変えられた流体の流れの変更により、流れ変更構造３０２によって妨げられない同じ流れと比べて、流体１１８と物品１００の一部との熱接触が増大する。
【００２２】
流れ変更構造３０２は、限定ではないが、付加製造技法、鋳造又はこれらの組合せを含む、任意の好適な方法によって形成することができる。付加製造技法は、限定ではないが、直接金属レーザ溶融、直接金属レーザ焼結、選択レーザ溶融、選択レーザ焼結、電子ビーム溶融、レーザ金属堆積又はこれらの組合せを含む、任意の好適な方法を含むことができる。
【００２３】
好ましい実施形態を参照しながら本発明を説明してきたが、本発明の範囲から逸脱することなく種々の変更を行うことができ且つ本発明の要素を均等物で置き換えることができる点は理解されるであろう。加えて、本発明の本質的な範囲から逸脱することなく、特定の状況又は物的事項を本発明の教示に適合するように多くの修正を行うことができる。従って、本発明は、本発明を実施するために企図される最良の形態として開示した特定の実施形態に限定されるものではなく、また本発明は、提出した請求項の技術的範囲内に属する全ての実施形態を包含することになるものとする。
【００２４】
最後に、代表的な実施態様を以下に示す。
［実施態様１］
物品であって、
インピンジメントプレートを含むマニホルドであって、上記インピンジメントプレートが、プレナム及び１以上のインピンジメント開口を画成し、上記プレナムがプレナム表面を有し、上記１以上のインピンジメント開口が、上記プレナムと吸気開口にて境界を接する、マニホルドと、
１以上の外部開口を含む物品壁と、
上記マニホルドと上記物品壁との間に配置されるポストインピンジメントキャビティであって、上記プレナムから上記１以上のインピンジメント開口を通して流体を受けて、該流体が上記１以上の外部開口を通過するように構成されたポストインピンジメントキャビティと
を備えており、上記１以上のインピンジメント開口が流れ変更構造を含んでおり、上記インピンジメント開口及び上記流れ変更構造が排気開口を画成する、物品。
［実施態様２］
上記吸気開口が吸気面積を含み、上記排気開口が１以上の排気面積を含み、上記１以上の排気面積が上記吸気面積の約１０％〜約５００％である、実施態様１に記載の物品。
［実施態様３］
上記１以上のインピンジメント開口が、上記プレナム表面に対して約３０度〜約９０度のインピンジメント角を画成する、実施態様１に記載の物品。
［実施態様４］
上記排気開口が、上記インピンジメント角から最大で約６０度の偏向角で偏向する、実施態様３に記載の物品。
［実施態様５］
上記排気開口が環状である、実施態様１に記載の物品。
［実施態様６］
上記が流れ変更構造がタービュレータを含む、実施態様１に記載の物品。
［実施態様７］
上記タービュレータが、１以上のベーンを含む、実施態様６に記載の物品。
［実施態様８］
上記１以上のベーンが捻れ構造を含む、実施態様７に記載の物品。
［実施態様９］
上記流れ変更構造が、複数の流れ分配開口を含む、実施態様１に記載の物品。
［実施態様１０］
上記流れ変更構造が、方向性ノズルを含む、実施態様１に記載の物品。
［実施態様１１］
上記物品が、翼形部、バケット、ノズル、シュラウド、燃焼器及びこれらの組合せからなる群から選択されるタービン部品である、実施態様１に記載の物品。
［実施態様１２］
インピンジメントプレートを備え、該インピンジメントプレートがプレナム及び１以上のインピンジメント開口を画成するマニホルドであって、
上記プレナムがプレナム表面を含み、上記１以上のインピンジメント開口が、上記プレナムと吸気開口にて境界を接し、上記１以上のインピンジメント開口が、流れ変更構造を含み、上記インピンジメント開口及び上記流れ変更構造が排気開口を画成し、
上記マニホルドが、流体を上記プレナムから上記吸気開口に流入させ、上記１以上のインピンジメント開口を通して上記排気開口から流出させるよう構成される、マニホルド。
［実施態様１３］
上記吸気開口が吸気面積を含み、上記排気開口が、１以上の排気面積を含み、上記１以上の排気面積が、上記吸気面積の約１０％〜約５００％である、実施態様１２に記載のマニホルド。
［実施態様１４］
上記１以上のインピンジメント開口が、上記プレナム表面に対して約３０度〜約９０度のインピンジメント角を画成する、実施態様１２に記載のマニホルド。
［実施態様１５］
上記排気開口が、上記インピンジメント角から最大で約６０度の偏向角で偏向する、実施態様１４に記載のマニホルド。
［実施態様１６］
上記排気開口が環状である、実施態様１２に記載のマニホルド。
［実施態様１７］
上記流れ変更構造がタービュレータを含む、実施態様１２に記載のマニホルド。
［実施態様１８］
上記流れ変更構造が、複数の流れ分配開口を含む、実施態様１２に記載のマニホルド。
［実施態様１９］
上記流れ変更構造が、方向性ノズルを含む、実施態様１２に記載のマニホルド。
［実施態様２０］
上記マニホルドが、タービン翼形部のマニホルド、タービンバケットのマニホルド、タービンノズルのマニホルド、タービンシュラウドのマニホルド、タービン燃焼器のマニホルド及びこれらの組合せからなる群から選択される、実施態様１２に記載のマニホルド。
【符号の説明】
【００２５】
１００  物品
１０８  インピンジメントプレート
１０２  マニホルド
１１０  プレナム
１１２  インピンジメント開口
１１６  プレナム表面
３００  吸気開口